(57)【要約】【課題】ユーザが番組を明示的に指定せずに再生指示しても、ユーザが希望する番組を簡単な操作で再生できるようにする。【解決手段】入力端子１２からの映像／音声信号は、録画要求が入力端子１３からあると、制御部３により、再生切替部５から録画処理部７を介して記録媒体９に録画される。入力端子１３から再生キーの操作による再生要求があると、制御部３の制御により、再生処理部８で記録媒体９からの再生一時停止状態にある録画番組が最後の一時停止位置から再生される「リジューム再生」または録画中の番組を先頭から再生する「追っかけ再生」が行なわれ、切替部６，映像合成部１０を介して出力端子１４から図示しない表示部に供給される。これにより、表示部では、録画番組を直接指定することなく、ユーザが希望する再生一時停止中の録画番組や録画中の番組を表示部でする表示させることができる。【選択図】図１
2010233258.tif 000002
【特許請求の範囲】
【請求項１】
ユーザによる番組の明示的な指定なしに再生が可能な複数の再生番組選択モード夫々に対し、該再生番組選択モードで再生可能な録画番組を設定する手段と、
該再生番組選択モードのいずれかを選択するためのユーザーインターフェースと
を有し、
該ユーザインタフェースで再生番組選択モードを選択することにより、ユーザによる番組の明示的な指定なしに再生される録画番組を指定することができるように構成したことを特徴とする録画再生装置。
【請求項２】
請求項１に記載の録画再生装置において、
前記ユーザインタフェースは、録画番組が再生開始可能な再生番組選択モードを選択可能とすることを特徴とする録画再生装置。
【請求項３】
ユーザによる番組の明示的な指定なしに再生が可能な複数の再生番組選択モード夫々に対し、該再生番組選択モードで再生可能な録画番組を設定する第１の手段と、
全ての該再生番組選択モードの録画番組を同時に再生する第２の手段と、
該第２の手段によって再生された該録画番組を表示画面に全て同時に表示する第３の手段と、
該第３の手段によって表示された該録画番組のいずれか１つを選択する第４の手段と、
該第４の手段によって選択された録画番組のみを該表示画面に表示する手段と
を有することを特徴とする録画再生装置。
【請求項４】
請求項１〜３のいずれか１つに記載の録画再生装置において、
前記再生番組選択モードは、少なくとも、
再生一時停止状態にある録画番組を再生一時停止されたときの位置から再生開始するリジューム再生のモードと、
録画中の番組をその先頭から再生開始する追っかけ再生のモードと
とを含むことを特徴とする録画再生装置。
【請求項５】
ユーザによる番組の明示的な指定なしに再生が可能な複数の再生番組選択モード夫々に対し、該再生番組選択モードで再生可能な録画番組を設定して、該再生番組選択モードのいずれかを選択可能とし、
選択された該再生番組選択モードと録画状態とから再生する録画番組を決定することを特徴とする録画再生方法。
【請求項６】
請求項５に記載の録画再生方法において、
前記再生番組選択モードは、少なくとも、
再生一時停止状態にある録画番組を再生一時停止されたときの位置から再生開始するリジューム再生のモードと、
録画中の番組をその先頭から再生開始する追っかけ再生のモードと
を含むことを特徴とする録画再生方法。
【発明の詳細な説明】
【技術分野】
【０００１】
本発明は、複数の番組再生モードを備えた録画再生装置及び録画再生方法に関する。
【背景技術】
【０００２】
近年、録画再生装置の機能において、効率的な番組の再生方法が重要視されている。その理由として、ＨＤＤ（ハード ディスク ドライブ）などの記録媒体の大容量化に伴う録画番組数の増加が挙げられる。記録媒体の容量は製品の重要な要素となるため、記録媒体の容量は年々急速に増加している。これに伴い、録画再生装置に記録される番組数も増加しているため、複数の番組の中からユーザーが望む番組を探すことが困難となっている。そこで、ユーザの利便性を高めるために、記録された番組の効率的な再生方法が重要となってくる。
【０００３】
このことからして、ユーザが録画されている番組を明示的に指定しなくとも、自動的に録画番組を再生するようにした技術が提案されている（例えば、特許文献１参照）。
【０００４】
これは、録画番組をジャンルに応じて分類してジャンル毎に録画番組を時間系列的に配列し、夫々のジャンル毎に、録画番組が再生されることを仮想的な放送局から放送されるものとして、仮想チャンネルを割り当て、また、現実の放送局から放送される番組（放送番組）を実チャンネルの番組とし、これら実チャンネルと仮想チャンネルとが同じ時間軸上で時間が経過するものであって、実チャンネルと仮想チャンネルとのいずれかのチャンネルを指定すると、その指定されたチャンネルのその時刻に表示されるべき番組が表示されるようにしたものである。いずれかの実チャンネルが指定されると、この実チャンネルのこの指定時刻に放送されている番組が受信されて表示され、また、いずれかの仮想チャンネルが指定されると、この指定された仮想チャンネルのその指定時刻に表示されるべき録画番組が再生されて表示される。
【０００５】
なお、仮想チャンネルの録画番組の場合には、早送りや巻戻し，再生の一時停止も可能としている。しかし、上記の実チャンネルと仮想チャンネルとの時間の流れは、これらによって影響されない。
【先行技術文献】
【特許文献】
【０００６】
【特許文献１】特開２００１−３３３３５８
【発明の概要】
【発明が解決しようとする課題】
【０００７】
上記特許文献１に記載の技術では、録画番組を再生したい場合、ユーザはチャンネルのうちから仮想チャンネルを選択すればよく、番組を明示的に指定しなくとも、指定された仮想チャンネルの録画番組が再生されて視聴することが可能である。
【０００８】
しかし、このように再生される録画番組は、その仮想チャンネルを指定した時刻に再生されるべき録画番組であり、必ずしもユーザが望む録画番組とは限らない。即ち、ユーザが録画番組を明示的に指定しないで再生を行なわせようとした場合には、ユーザの望む録画番組が必ずしも再生されるとは限らない。
【０００９】
一方、録画再生装置の一例として、ユーザが再生する録画番組を明示的に指定しなくとも（即ち、直接録画番組を指定しなくとも）、リモコンの再生キーを操作することにより、再生の一時停止状態にある録画番組を一時停止した位置から再生を開始するようにした、いわゆるリジューム再生を行なう機能を備えた録画再生装置が知られている。かかる録画再生装置では、この再生の一時停止状態にある録画番組を、視聴するために、再生したいとき、リモコンの再生キーを操作するだけで、これを一時停止した位置から続けて再生できるものであって、特にこの再生したい録画番組を直接指定しなくとも、再生できるものである。上記の特許文献１には、録画再生装置にかかるリジューム機能が設けられていることも記載されている。
【００１０】
また、録画再生装置の他の例としては、放送番組などの入力番組の録画中、ユーザがリモコンの再生キーを操作すると、この録画中の番組をその先頭から再生開始する、いわゆる追っかけ再生の機能を備えた録画再生装置も知られている。かかる録画再生装置では、そのとき録画している番組をユーザが再生したい場合、リモコンの再生キーを操作するだけでこれを再生することができる。
【００１１】
ところで、リジューム再生機能を備えた録画再生装置では、途中まで再生して再生を一時停止した状態にしている録画番組の続きの再生を希望する場合には、この録画番組を直接指定することなく、リモコンの再生キーを操作することにより、簡単にこの番組を再生する状態にすることができるが、録画中の番組の再生を希望する場合には、この放送番組を受信し、ディスプレイで表示できるようにするといった別の操作が必要であり、操作に手間がかかることになる。追っかけ再生機能を備えた録画再生装置においても同様であって、録画中の番組の再生を希望する場合には、この番組を直接指定することなく、リモコンの再生キーを操作することにより、簡単にこの録画中の番組をその先頭から再生できる状態にすることができるが、途中まで再生して再生を一時停止した状態にしている録画番組の続きの再生を希望する場合には、リモコンの再生キーの操作ではこの録画番組のリジュース再生が行なわれず、この録画番組の一時停止を解除して再生を開始させるための別の操作が必要となり、操作が煩雑になるという問題がある。
【００１２】
このように、従来の録画再生装置では、希望する録画番組を明示的に指示しなくとも、この希望する録画番組を再生可能に構成されてはいるが、かかる希望する録画番組を再生可能な状態である番組再生モード毎にそれを選択するのに適応した操作を必要とするし、また、そのための操作手段が番組再生モード毎に必要となるという問題があった。
【００１３】
本発明の目的は、かかる問題を解消し、複数の再生番組選択モードの選択のための操作手段や操作方法を簡略化して、ユーザが明示的に再生番組を指示しない場合でも、ユーザが望む番組を再生可能とした録画再生装置及び録画再生方法を提供することにある。
【課題を解決するための手段】
【００１４】
上記目的を達成するために、本発明による録画再生装置は、ユーザによる番組の明示的な指定なしに再生が可能な複数の再生番組選択モード夫々に対し、再生番組選択モードで再生可能な録画番組を設定する手段と、再生番組選択モードのいずれかを選択するためのユーザーインターフェースとを有し、ユーザインタフェースで再生番組選択モードを選択することにより、ユーザによる番組の明示的な指定なしに再生される録画番組を指定することができるように構成したことを特徴とするものである。
【００１５】
また、本発明による録画再生装置は、ユーザインタフェースが、録画番組が再生開始可能な再生番組選択モードを選択可能とすることを特徴とするものである。
【００１６】
また、本発明による録画再生装置は、ユーザによる番組の明示的な指定なしに再生が可能な複数の再生番組選択モード夫々に対し、再生番組選択モードで再生可能な録画番組を設定する第１の手段と、全ての再生番組選択モードの録画番組を同時に再生する第２の手段と、該第２の手段によって再生された録画番組を表示画面に全て同時に表示する第３の手段と、第３の手段によって表示された録画番組のいずれか１つを選択する第４の手段と、第４の手段によって選択された録画番組のみを表示画面に表示する手段ととを有することを特徴とするものである。
【００１７】
また、本発明による録画再生装置は、再生番組選択モードが、少なくとも、再生一時停止状態にある録画番組を再生一時停止されたときの位置から再生開始するリジューム再生のモードと、録画中の番組をその先頭から再生開始する追っかけ再生のモードとを含むことを特徴とするものである。
【００１８】
上記目的を達成するために、本発明による録画再生方法は、ユーザによる番組の明示的な指定なしに再生が可能な複数の再生番組選択モード夫々に対し、再生番組選択モードで再生可能な録画番組を設定して、再生番組選択モードのいずれかを選択可能とし、選択された再生番組選択モードと録画状態とから再生する録画番組を決定することを特徴とするものである。
【００１９】
また、本発明による録画再生方法は、再生番組選択モードが、少なくとも、再生一時停止状態にある録画番組を再生一時停止されたときの位置から再生開始するリジューム再生のモードと、録画中の番組をその先頭から再生開始する追っかけ再生のモードとを含むことを特徴とするものである。
【発明の効果】
【００２０】
本発明によれば、ユーザが明示的に録画番組を指定しなくとも、簡単な操作手段，操作方法でユーザが希望する番組を再生することができる。
【図面の簡単な説明】
【００２１】
【図１】本発明による録画再生装置及び録画再生方法の第１の実施形態を示すブロック構成図である。
【図２】本発明による録画再生装置及び録画再生方法の第１の実施形態でのリジューム再生と追っかけ再生との選択メニューのＯＳＤ画面の一具体例を示す図である。
【図３】本発明による録画再生装置及び録画再生方法の第１の実施形態の処理アルゴリズムを示すフローチャートである。
【図４】本発明による録画再生装置及び録画再生方法の第２の実施形態でのリジューム再生と追っかけ再生との選択メニューのＯＳＤ画面の一具体例を示す図である。
【図５】本発明による録画再生装置及び録画再生方法の第３の実施形態の処理アルゴリズムを示すフローチャートである。
【図６】本発明による録画再生装置及び録画再生方法の第３の実施形態でのリジューム再生と追っかけ再生との選択が可能な画面の一具体例を示す図である。
【発明を実施するための形態】
【００２２】
以下、本発明による実施形態を図面を用いて説明する。
【００２３】
図１は本発明による録画再生装置及び録画再生方法の第１の実施例を示すブロック構成図であって、１は録画再生装置、２は録画再生処理装置、３は制御部、４はユーザ指示受信部、５は入力映像／音声切替部、６は出力映像／音声切替部、７は録画処理部、８は再生処理部、９は記録媒体、１０は映像合成部、１１はＯＳＤ(On Screen Display)作成部、１２は映像／音声入力端子、１３は操作信号入力端子、１４は映像／音声出力端子である。
【００２４】
同図において、この第１の実施形態の録画再生装置１は、録画再生処理装置２と制御部３とユーザ指示受信部４とを備えている。
【００２５】
録画再生処理装置２は、入力映像／音声切替部５や出力映像／音声切替部６，録画処理部７，再生処理部８，記録媒体９，映像合成部１０，ＯＳＤ作成部１１などから構成されており、図示しないチューナで受信された映像／音声信号や図示しない外部機器（外部チューナや外部録画再生装置）からの映像／音声信号（以下、これらを総称して、映像／音声信号という）が映像／音声入力端子１２から入力され、また、映像／音声出力端子１４に接続された図示しない表示部に映像／音声信号を出力する。録画再生処理装置２の各部は、例えば、Ｉ２Ｃバスなどの通信バスを介して、制御部３と通信可能に接続されている。
【００２６】
制御部３は、操作信号入力端子１３から入力されてユーザ指示受信部４で受信される操作機器（図示せず）からの操作信号が供給されると、この操作信号に応じて録画再生処理装置２の各部の制御を行なう。なお、操作機器は、例えば、リモコン，マウス，キーボードなどのユーザが録画再生処理装置２を動作制御するためにユーザが操作する機器であって、以下では、これをリモコンとして説明する。
【００２７】
記録媒体９はハードディスクやＤＶＤ，Ｄ−ＶＨＳなどであって、ここでは、録画再生装置１に内蔵されているものとしているが、録画処理部７及び再生処理部８とともに録画再生装置１の外部に設けられた外部機器であってもよい。
【００２８】
次に、この実施形態の動作を説明する。
【００２９】
映像／音声入力端子１２から入力される映像／音声信号を記録媒体９に録画する場合には、リモコンを操作して録画を要求する。この録画要求の操作信号は操作信号入力端子１３から録画再生装置１に入力されてユーザ指示受信部４で受信され、制御部３に録画要求が通知される。制御部３は、この録画要求通知に応じて、録画再生処理装置２の各部が録画動作を行なうように制御する。これにより、録画処理が開始される。
【００３０】
かかる録画処理の開始により、映像／音声入力端子１２から入力された番組のアナログまたはデジタルの映像／音声信号は映像／音声切替部５に供給される。映像／音声切替部５は、制御部３の制御により、供給された映像／音声信号を録画処理部７にきょうきゅうする。録画処理部７では、供給された映像／音声が管理情報（例えば、番組管理用の番組ＩＤ，映像／音声の情報量など）や番組情報（例えば、番組の開始時刻，終了時刻，番組時間，チャンネル番号，タイトル名など）を付加され、記録用ストリームに符号化される。この符号化された番組の記録用ストリームは記録媒体９に録画される。
【００３１】
このようにして、入力された番組の映像／音声信号は、ユーザ指示に従って記録媒体７に録画されることになる。
【００３２】
なお、ユーザが希望するチャンネルの放送番組、あるいは外部録画再生装置からの再生映像／音声を、記録媒体９に記録しながら、あるいは記録媒体９に記録せず、映像／音声出力端子１４に接続された図示しない表示部で表示させることもでき（これを、以下、表示モードという）、この場合には、リモコンでこの表示モードの要求操作（例えば、放送番組の場合、チャンネル指定操作、外部録画再生装置の場合、それを指定するキー操作）をすることにより、制御部３は録画再生処理装置２の表示モードの動作を開始させる。これにより、録画再生処理装置２では、映像／音声入力端子１２から入力される映像／音声信号が、映像／音声切替部５により、出力映像／音声切替部６に供給される。出力映像／音声切替部６は、制御部３の制御により、映像／音声切替部５からの映像／音声信号を選択し、映像合成部１０を介して映像／音声出力端子１４から図示しない表示部に供給する。これにより、ユーザが希望するチャンネルの放送番組の映像／音声、あるいは外部録画再生装置からの再生映像／音声が表示部に表示され、ユーザに視聴できるようにする。
【００３３】
記録媒体９に記録された番組（録画番組）を再生する場合には、リモコンを操作して再生を要求する。この再生要求の操作信号は入力端子１３から入力され、ユーザ指示受信部４で受信されて再生要求が制御部３に供給される。制御部３はこの再生要求に応じた録画再生処理部２の各部を再生制御する。
【００３４】
ここで、ユーザが、記録媒体９に記録されている録画番組のうち、希望する録画番組をリモコン操作によって録画処理部７で付加された番組ＩＤなどで指定すると、この番組ＩＤの録画番組が記録媒体９から再生され、再生処理部８でこの録画番組の符号化された映像／音声信号が復号され、出力映像／音声切替部６に供給される。このとき、この出力映像／音声切替部６は、制御部３の制御により、この再生処理部８からの映像／音声信号を選択し、映像合成部１０を介して映像／音声出力端子１４から図示しない表示部に供給する。これにより、ユーザが指定した録画番組が表示部で視聴することができる。
【００３５】
この第１の実施形態においては、このように図示しない表示部で表示されて視聴される録画番組を、その途中で一時停止させることができる。これは、リモコンの一時停止操作に伴う制御部３の制御によって実行されるものであり、この録画番組の番組ＩＤや一時停止位置（例えば、この録画番組の先頭からの再生開始から一時停止したときまでの再生時間などで表わされる）などの必要な情報（以下、再生一時停止情報という）が制御部３に保存される。かかる再生一時停止情報は、録画再生装置１の電源がパワーオフしても、そのまま制御部に保存されている。かかる再生一時停止情報を用いて、この再生一時停止状態にある録画番組をこの再生一時停止位置から続けて再生するリジューム再生を行なうことができる。
【００３６】
また、この第１の実施形態では、記録媒体９への録画中の番組を、その先頭から再生する追っかけ再生を行なうこともできる。
【００３７】
かかるリジューム再生や追っかけ再生を行なわせるために、リモコンに再生キーが設けられている。ユーザがこの再生キーを操作すると、その操作信号が操作信号入力１３から入力され、ユーザ指示受信部４で受信されて再生要求が制御部３に通知される。制御部３はこの再生要求に応じてＯＳＤ作成部１１を制御し、メニューのＯＳＤ画面を作成させる。このＯＳＤ画面は映像合成部１０を介して映像／音声出力端子１４から図示しない表示部に供給される。これにより、表示部では、メニューのＯＳＤ画面が表示される。
【００３８】
このメニューのＯＳＤ画面では、まず、複数のメインメニューが表示され、レモコンの、例えば、上下キーと決定キーとの操作によって所望のメインメニューを選択すると、このメインメニューに対するサブメニューが表示され、そのうちの所望の１つを選択すると、この選択されたサブメニューの下位に展開するメニューが表示される。
【００３９】
図２はかかる操作によって得られるリジューム再生と追っかけ再生との選択メニューのＯＳＤ画面の一具体例を示す図であって、２０は表示部の表示画面、２１はメインメニュー、２２はサブメニュー、２３，２４は選択メニュー、２５はカーソルである。
【００４０】
同図において、ここでは、ユーザが明示的に（直接に）番組を指定することなく、ユーザの希望する番組を再生するモード、即ち、再生番組選択モードを、上記の「リジューム再生」と「追っかけ再生」の２つのモードとしている。
【００４１】
表示画面２０に表示されるメインメニュー「再生設定メニュー」２１は、メインメニューのリストからリジューム再生あるいは追っかけ再生を実行させるために選択されたものであり、サブメニュー「再生番組選択モード」２２は、メインメニュー「再生設定メニュー」２１が選択されることによって表示された複数のサブメニューのリストの中からリジューム再生あるいは追っかけ再生を実行させるために選択されたものであり、このサブメニュー「再生番組選択モード」２２が選択されることにより、図示するように、このサブメニュー「再生番組選択モード」２２の下位メニューの「リジューム再生」アイコン２３と「追っかけ再生」アイコン２４とが表示される。これら「リジューム再生」アイコン２３と「追っかけ再生」アイコン２４とのいずれかに網掛けで示すカーソル２５が重なって表示され、このアイコン２５が重なったアイコンが選択されていることになる。かかるアイコン２５は、リモコンの上下キーを操作することにより、上下に移動し、これにより、「リジューム再生」アイコン２３と「追っかけ再生」アイコン２４とのいずれかを適宜選択することができる。
【００４２】
なお、以上のメインメニューやサブメニュー，アイコン，カーソルの画面がＯＳＤ画面としてＯＳＤ作成部１１（図１）で作成され、リモコンの上下キーや決定キーの操作に応じて、制御部３がＯＳＤ作成部１１を制御することにより、表示画面２０に表示されるＯＳＤ画面の表示内容が変化する。
【００４３】
また、アイコン２３としては、ここでは、網かけのアイコンとしたが、色付きのアイコンとしてもよいし、枠状のアイコンとしてもよいし、その他の形態のアイコンとしてもよい。
【００４４】
図２に示すように、カーソル２５が「リジューム再生」アイコン２３上にあって、このアイコン２３が選択された状態にあるとき、リモコンの決定キーが操作されると、その操作信号が操作信号入力端子１３から入力され、ユーザ指示受信部４がそれを受信してリジューム再生の要求通知を制御部３に送る。制御部３は、この録画再生装置１で再生一時停止モードにある録画番組がある場合には、録画再生処理部２の各部を制御して、リジューム再生を開始させる。
【００４５】
なお、このとき、再生一時停止モードの録画番組がない場合には、制御部３はＯＳＤ作成部１１を制御してかかる録画番組がない旨のメッセージを作成させ、このメッセージの画面を表示部の表示画面２０にＯＳＤ表示させる。あるいはまた、再生一時停止モードの録画番組がない場合には、図２０に示すＯＳＤ画面で「リジューム再生」アイコン２３を表示しないようにしてもよい。
【００４６】
また、図２に示す状態でリモコンの下キーを操作してカーソル２５を「追っかけ再生」アイコン２４に当ててこのアイコン２３を選択した状態にし、リモコンの決定キーを操作すると、その操作信号が操作信号入力端子１３から入力され、ユーザ指示受信部４がそれを受信して追っかけ再生の要求通知を制御部３に送る。制御部３は、この録画再生装置１で番組を録画する録画モードにある場合には、録画再生処理部２の各部を制御し、記録媒体９（図１）に録画中のこの番組（録画中番組）を先頭から再生する追っかけ再生を開始させる。
【００４７】
なお、このとき、記録媒体９への番組の録画が行なわれていない（即ち、録画中番組がない）場合には、制御部３はＯＳＤ作成部１１を制御して録画中番組がない旨のメッセージを作成させ、このメッセージの画面を表示部の表示画面２０にＯＳＤ表示させる。あるいはまた、録画中番組がない場合には、図２０に示すＯＳＤ画面で「追っかけ再生」アイコン２４を表示しないようにしてもよい。
【００４８】
図１において、リジューム再生の場合には、制御部３から再生処理部８にリジューム再生開始指示が送られる。このリジューム再生開始指示には、リジューム再生の対象となる再生一時停止モードにある録画番組の番組ＩＤや一時停止位置などの再生一時停止情報が付加されている。再生処理部８は、このリジューム再生の指示を受けると、この再生一時停止情報に基づいて、記録媒体９に記録されていて再生一時停止状態にある録画番組の前回の再生で一時停止指令によって再生を停止した位置から再生する。このように記録媒体９からリジューム再生される録画番組の映像／音声信号の符号化されたストリームは再生処理部８で復号され、出力映像／音声切替部６に供給される。このとき、この出力映像／音声切替部６は、制御部３の制御により、この再生処理部８からの映像／音声信号を選択し、映像合成部１０を介して映像／音声出力端子１４から図示しない表示部に供給する。これにより、リジューム再生された録画番組が表示部で視聴することができる。
【００４９】
追っかけ再生の場合には、制御部３から再生処理部８に追っかけ再生開始指示が送られる。この場合、制御部３は、ユーザ指示受信部４からの追っかけ再生の要求が通知されると、録画処理部７から現在録画している番組に付与している番組ＩＤを取得し、これを追っかけ再生開始指示とともに再生処理部８に送る。再生処理部８は、この追っかけ再生開始の指示を受けると、これに付加されている番組ＩＤが付与された録画番組（即ち、現在録画中の番組）をその先頭から再生する。このように記録媒体９から追っかけ再生される録画番組の映像／音声信号の符号化されたストリームは再生処理部８で復号され、出力映像／音声切替部６に供給される。このとき、この出力映像／音声切替部６は、制御部３の制御により、この再生処理部８からの映像／音声信号を選択し、映像合成部１０を介して映像／音声出力端子１４から図示しない表示部に供給する。これにより、追っかけ再生された録画番組（即ち、現在録画中の番組）が表示部で視聴することができる。
【００５０】
図３はこの第１の実施形態の処理アルゴリズムを示すフローチャートである。なお、ここでは、再生一時停止モードの録画番組があるものとする。
【００５１】
同図において、ユーザがリモコンの再生キーなどを操作すると、上記のようにして、表示部の表示画面に図２に示すＯＳＤ画面が表示される。かかるＯＳＤ画面でユーザがアイコン２３，２４のいずれかを選択操作をすると、ユーザ設定値（再生番組選択モード）がリジューム再生と追っかけ再生のいずれかに設定されたことになり、ユーザの設定した再生番組選択モード（ユーザ設定値）が「リジューム再生」である場合（Ｓ（ステップ）３１で「ｙｅｓ」）、制御部３は再生処理部８にリジューム再生開始を指示する（Ｓ３２）。これにより、再生処理部８は、上記のように、リジューム再生を開始する。ユーザ設定値が「追っかけ再生」である場合には（Ｓ３１で「ｎｏ」）、制御部３は現在録画状態にあるかどうかを判断し、録画状態にある場合には（Ｓ３３で「ｙｅｓ」）、制御部３は再生処理部８に追っかけ再生の開始を指示する（Ｓ３４）。これにより、再生処理部８は、上記のように、追っかけ再生を開始する。現在録画状態にない場合には（Ｓ３３で「ｎｏ」）、追っかけ再生の対象となる番組がないため、制御部３は再生処理部８に対してリジューム再生の開始を指示する（Ｓ３５）。
【００５２】
再生一時停止モードの録画番組も、録画中の番組もない場合には、リモコンの再生キーが操作されても、Ｓ３２，Ｓ３４，Ｓ３５は実行されず、制御部３の制御は終了し、上記のように、メッセージが表示されるなどする。あるいはまた、上記のように、制御部３の制御により、図２において、「リジューム再生」アイコン２３，「追っかけ再生」アイコン２４を表示させないようにしてもよい。
【００５３】
このようにして、この第１の実施形態では、リモコンなどの操作機器と表示部とがユーザインタフェースを構成し、再生一時停止状態にある録画番組を、これの視聴を希望するときに、この録画番組を直接指定することなく、操作機器での簡単な操作によって再生一時停止した位置から続けて再生して視聴することができるし、また、録画中の番組も、録画中の番組を、これの視聴を希望するときに、この録画中番組を直接指定することなく、操作機器での簡単な操作によってその先頭から再生して視聴することができる。
【００５４】
なお、リジューム再生もしくは追っかけ再生が行なわれているときも、「リジューム再生」アイコン２３と「追っかけ再生」アイコン２４とを表示画面２０に表示させ、かかる再生中もリジューム再生と追っかけ再生との切り替えを行なうようにすることもできる。
【００５５】
図４は本発明による録画再生装置及び録画再生方法の第２の実施形態でのリジューム再生と追っかけ再生との選択メニューのＯＳＤ画面の一具体例を示す図であって、４０は表示部の表示画面、４１は「リジューム再生」アイコン、４２は「追っかけ再生」アイコンである。なお、この第２の実施形態の録画再生装置も図１に示す構成をなしており、ここでは、その映像／音声出力端子１４に接続される表示部の表示画面を符号「４０」で示している。
【００５６】
図１において、ユーザがリモコンの再生キーを操作すると、その操作信号が操作信号入力端子１３から入力され、ユーザ指示受信部４がこれを受信して制御部３に再生開始の指示を通知する。制御部３は、この通知を受けると、ＯＳＤ作成部１１を制御し、リジューム再生または追っかけ再生を開始させるためのＯＳＤ画面を作成させる。作成されたＯＳＤ画面の信号は、映像合成部１０を開始、映像／音声出力端子１４から図示しない表示部に供給される。
【００５７】
これにより、表示部の表示画面４０では、図４に示すように、ＯＳＤ画面が表示される。即ち、図２での「リジューム再生」アイコン２３，「追っかけ再生」アイコン２４に相当する「リジューム再生」アイコン４１，「追っかけ再生」アイコン４２が直接表示される。
【００５８】
ここで、このＯＳＤ画面では、カーソルが表示されておらず、図４に示す表示状態でリモコンの上キーを操作すると、上側に表示される「リジューム再生」アイコン４１が選択され、下キーを操作すると、「追っかけ再生」アイコン４２が選択される。
【００５９】
この第２の実施形態での図４に示すＯＳＤ画面に対する上下キーの操作に伴う処理アルゴリズムも、図３に示すフローチャートと同様である。
【００６０】
即ち、図４に示す表示状態でリモコンの上キーの操作によって「リジューム再生」アイコン４１を選択した場合には（Ｓ３１で「ｙｅｓ」）、制御部３は再生処理部８にリジューム再生開始を指示する（Ｓ３２）。これにより、再生処理部８は、上記のように、リジューム再生を開始する。リモコンの下キーの操作によって「追っかけ再生」アイコン４２を選択した場合には（Ｓ３１で「ｎｏ」）、制御部３は現在録画状態にあるかどうかを判断し、録画状態にある場合には（Ｓ３３で「ｙｅｓ」）、制御部３は再生処理部８に追っかけ再生の開始を指示する（Ｓ３４）。これにより、再生処理部８は、上記のように、追っかけ再生を開始する。現在録画状態にない場合には（Ｓ３３で「ｎｏ」）、追っかけ再生の対象となる番組がないため、制御部３は再生処理部８に対してリジューム再生の開始を指示する（Ｓ３５）。
【００６１】
このようにして、この第２の実施形態でも、リモコンなどの操作機器と表示部とがユーザインタフェースを構成し、再生一時停止状態にある録画番組を、これの視聴を希望するときに、この録画番組を直接指定することなく、操作機器のより簡単な操作によって再生一時停止した位置から続けて再生して視聴することができるし、また、録画中の番組も、録画中の番組を、これの視聴を希望するときに、この録画中番組を直接指定することなく、操作機器のより簡単な操作によってその先頭から再生して視聴することができる。
【００６２】
なお、この第２の実施形態においても、第１の実施形態と同様、カーソルを用い、操作機器での操作により、カーソルを移動させてアイコン４１，４２のいずれかを指示し、決定キーを操作することにより、指示したアイコンに該当するリジューム再生もしくは追っかけ再生を実行させるようにすることも可能である。
【００６３】
また、この第２の実施形態においても、リジューム再生もしくは追っかけ再生が行なわれているときも、「リジューム再生」アイコン４１と「追っかけ再生」アイコン４２とを表示画面４０に表示させ、かかる再生中もリジューム再生と追っかけ再生との切り替えを行なうようにすることもできる。
【００６４】
再生一時停止モードの録画番組も、録画中の番組もない場合には、リモコンの再生キーが操作されても、図３でのＳ３２，Ｓ３４，Ｓ３５は実行されず、制御部３の制御は終了し、上記のように、メッセージが表示されるなどする。あるいはまた、上記のように、制御部３の制御により、図４において、「リジューム再生」アイコン４１，「追っかけ再生
」アイコン４２を表示させないようにしてもよい。
【００６５】
ここで、上記の第１，第２の実施形態において、図１に示す録画再生装置１で複数の映像／音声入力端子１２を備え、映像／音声入力端子１２夫々毎に入力映像／音声切替部５，録画処理部７，再生処理部８及び記録媒体９を設け、複数の映像／音声信号を同時に入力して夫々の記録媒体９に同時に録画できる構成とした場合、これら複数の入力映像／音声信号を同時に録画しているときには、図２や図４で示す表示画面において、夫々の録画中番組に対して、「追っかけ再生１」，「追っかけ再生２」，……というように、「追っかけ再生」アイコン２４，４２を表示させ、所望とする録画中番組の追っかけ再生を選択的に行なうようにすることもできる。
【００６６】
図５は本発明による録画再生装置及び録画再生方法の第３の実施形態の処理アルゴリズムを示すフローチャートである。なお、この第３の実施形態の録画再生装置も図１に示す構成をなしている。
【００６７】
図１において、ユーザがリモコンの再生キーを操作すると、その操作信号が操作信号入力端子１３から入力され、ユーザ指示受信部４がこれを受信して制御部３に再生開始の指示を通知する。制御部３は、この通知を受けると、図５に示す処理アルゴリズムを実行する。
【００６８】
即ち、録画再生処理部２が録画中でなく、かつ再生一時停止の録画番組がある場合には（Ｓ５１での「ｎｏ」）、再生処理部８に記録媒体９からこの再生一時停止中の録画番組を最後に一時停止した位置から再生を開始するリジューム再生開始を指示する（Ｓ５３）。
【００６９】
番組が録画中である場合には（Ｓ５１での「ｙｅｓ」）、このとき、再生一時停止の録画番組があると、制御部３は再生処理部８に再生一時停止されて録画番組のリジューム再生と録画中番組の追っかけ再生との開始を指示する（Ｓ５２）。
【００７０】
記録媒体９からのリジューム再生の録画番組と追っかけ再生の録画中番組との映像／音声信号の符号化されたストリームは夫々、再生処理部８において、復号され、合成されて２画面の映像／音声信号が形成される。この２画面映像／音声信号は出力映像／音声切替部６を介して映像合成部１０に供給される。一方、制御部３は、上記の再生開始の指示の通知を受けると、ＯＳＤ作成部１１を制御し、リジューム再生と追っかけ再生とを選択するためのＯＳＤ画面を作成させる。この作成されたＯＳＤ画面の信号は、映像合成部１０で上記の２画面映像／音声信号と合成され、映像／音声出力端子１４から図示しない表示部に供給される。
【００７１】
図６はこのときの表示部の表示画面での表示内容を示す図であって、６１はリジューム再生映像の表示エリア、６２は追っかけ再生映像の表示エリア、６３は「リジューム再生」アイコン、６４は「追っかけ再生」アイコンである。なお、この第２の実施形態の録画再生装置も図１に示す構成をなしており、ここでは、その映像／音声出力端子１４に接続される表示部の表示画面を符号「６０」で示している。
【００７２】
同図において、上記のリジューム再生の録画番組と追っかけ再生の録画中番組と２画面映像／音声信号により、表示部の表示画面６０では、２つの映像表示エリア６１，６２に分割され、映像表示エリア６１にリジューム再生された録画番組の映像が、映像表示エリア６２に追っかけ再生された録画中番組の映像が夫々表示される。また、これとともに、映像表示エリア６１の所定の場所、例えば、上辺部にこの映像表示エリア６１に表示される映像がリジューム再生による映像であることを示し、かつこの映像を選択可能とする「リジューム再生」アイコン６３を表示し、映像表示エリア６１での映像表示エリア６１での「リジューム再生」アイコン６３の表示位置に対応する位置に、この映像表示エリア６２に表示される映像が追っかけ再生による映像であることを示し、かつこの映像を選択可能とする「追っかけ再生」アイコン６４を表示する。
【００７３】
ユーザは、リモコンのカーソル操作により、「リジューム再生」アイコン６３と「追っかけ再生」アイコン６４とのいずれかを選択することができる。ここで、この矢印状のカーソルが使用される場合には、このカーソルで「リジューム再生」アイコン６３と「追っかけ再生」アイコン６４とのいずれか一方を選択することができる。、リモコンの決定キーを操作することにより、いずれかの再生の映像のみの表示を選択できる。例えば、リモコンによるアイコン操作により、「リジューム再生」アイコン６３を指定して選択すると、表示画面６０全体にリジューム再生による録画番組の映像が表示状態に設定され、また、リモコンのキー操作により、「追っかけ再生」アイコン６４を指定して選択すると、表示画面全体に追っかけ再生による録画中番組の映像が表示状態に設定される。
【００７４】
なお、カーソルとしては、先の第１，第２の実施形態でのカーソルと同様の形態のカーソルを用いることができる。この場合、リモコンの左右キーの操作により、「リジューム再生」アイコン６３と「追っかけ再生」アイコン６４とのいずれか一方を選択的に指定することができ、リモコンの決定キーを操作することにより、いずれかの再生の映像のみの表示を選択できる。
【００７５】
あるいはまた、「リジューム再生」アイコン６３，「追っかけ再生」アイコン６４を表示する代わりに、映像表示エリアに番号を表示し、この番号によって夫々の映像表示エリア６１，６２をリモコンの操作部での数字キーに対応させ、その数字キーを操作することにより、映像再生エリア６１，６２を選択するようにすることもできる。例えば、映像表示エリア６１に数字「１」を表示し、映像表示エリア６２に数字「２」を表示し、リモコンの「１」の数字キーが操作されると、映像表示エリア６１が選択されることになって表示画面６０全体にリジューム再生による録画番組の映像が表示された状態となり、リモコンの「２」の数字キーが操作されると、映像表示エリア６２が選択されることになって表示画面６０全体に追っかけ再生による録画番組の映像が表示された状態となる。
【００７６】
図５において、番組の録画も行なわれておらず、また、再生一時停止状態の録画番組がない場合には、ユーザがリモコンの再生キーを操作しても、制御部３はＳ５１での判定処理で制御を終了する。
【００７７】
このようにして、この第３の実施形態でも、リモコンなどの操作機器と表示部とがユーザインタフェースを構成し、再生一時停止状態にある録画番組を、これの視聴を希望するときに、この録画番組を直接指定することなく、操作機器のより簡単な操作によって再生一時停止した位置から続けて再生して視聴することができるし、また、録画中の番組も、録画中の番組を、これの視聴を希望するときに、この録画中番組を直接指定することなく、操作機器のより簡単な操作によってその先頭から再生して視聴することができる。
【００７８】
なお、この第３の実施形態においても、図１に示す録画再生装置１で複数の映像／音声入力端子１２を備え、映像／音声入力端子１２夫々毎に入力映像／音声切替部５，録画処理部７，再生処理部８及び記録媒体９を設け、複数の映像／音声信号を同時に入力して夫々の記録媒体９に同時に録画できる構成とした場合、これら複数の入力映像／音声信号を同時に録画しているときには、表示画面６０はリジューム再生の録画番組の映像の表示エリアと複数の追っかけ再生の録画中番組の映像の表示エリアに分割してこれら映像を同時に表示するようにすることもでき、上記と同様の方法により、これら映像のうちの所望とする映像を選択して表示画面６０全体に表示した状態にすることもできる。例えば、３つの録画中番組について、同時に録画することが可能な場合、リモコンでの再生キーの操作により、表示画面６０では、１つのリジューム再生による録画番組の映像と３つの追っかけ再生による録画中番組の映像とが同時に表示される。
【００７９】
また、以上の各実施形態において、当然のことであるが、リジューム再生される録画番組が最後まで再生されると、リジューム再生の対象からはずれるし、また、追っ掛け再生の録画中番組あるいは指定するなどして再生している録画番組を再生一時停止状態にすると、リジューム再生の対象となる。
【００８０】
以上、本発明の実施形態について説明したが、本発明はかかる実施形態にのみ限定されるものではない。例えば、上記各実施形態では、再生番組選択モードとして、リジューム再生と追っかけ再生の２種類としたが、「おすすめ番組再生」などの他の再生番組選択モードも付加した３種類以上の再生番組選択モードとしてもよい。
【符号の説明】
【００８１】
１  録画再生装置
２  録画再生処理装置
３  制御部
４  ユーザ指示受信部
５  入力映像／音声切替部
６  出力映像／音声切替部
７  録画処理部
８  再生処理部
９  記録媒体
１０  映像合成部
１１  ＯＳＤ作成部
１２  映像／音声入力端子
１３  操作信号入力端子
１４  映像／音声出力端子
２０，４０，６０  表示画面
２１  メインメニュー「再生設定メニュー」
２２  サブメニュー「再生番組選択モード」
２３，４１，６３  「リジューム再生」アイコン
２４，４２，６４  「追っかけ再生」アイコン
２５  カーソル
６１，６２  映像表示エリア
【図１】
2010233258.tif 000003
【図２】
2010233258.tif 000004
【図３】
2010233258.tif 000005
【図４】
2010233258.tif 000006
【図５】
2010233258.tif 000007
【図６】
2010233258.tif 000008
【手続補正書】
【提出日】平成22年7月9日(2010.7.9)
【手続補正１】
【補正対象書類名】明細書
【補正対象項目名】００１３
【補正方法】変更
【補正の内容】
【００１３】
上記課題を解決するために、本発明の一実施の態様は、例えば特許請求の範囲に記載された技術的思想を用いればよい。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】